(57)【特許請求の範囲】
【請求項１】
使用者の背部と胸部との間を自在に移動させることができるバッグであって、
左右に設けられた２本の背負いベルト部と、
前記２本の背負いベルト部の左右いずれか一方の背負いベルト部の後方において一端が固定され、前記背負いベルト部と交差する方向に伸び、前記２本の背負いベルト部の他方の背負いベルト部の前方に延び回され他端が当該他方の背負いベルト部の前方において固定される帯状の部材であるガイド部と、
収容部と、
前記収容部の前記ガイド部の前記一端側近傍に位置を偏らせて固定されかつ前記ガイド部上を摺動する、前記ガイド部の周囲に巻かれたリングである摺動部と、を有するバッグ。
【請求項２】
背当て部を備えており、
前記背負いベルト部は前記背当て部に固定されており、
前記ガイド部の前記一端は、前記背当て部の後方に固定されていることで前記背負いベルト部の後方において固定されている請求項１記載のバッグ。
【請求項３】
前記背負いベルト部の後方において前記収容部を固定するための後方固定部を備える請求項１記載のバッグ。
【請求項４】
前記背負いベルト部の前方において前記収容部を固定するための前方固定部を備える請求項１記載のバッグ。
【発明の詳細な説明】
【技術分野】
【０００１】  本発明は、バッグに関する。具体的には、荷物を収容し持ち運ぶために好適に用いることができるバッグに関する。
【背景技術】
【０００２】  バッグは、荷物を収容し持ち運ぶために好適に用いることができるものであり、日常生活に欠かすことができないものである。バッグには多数の種類があるが、背負いベルトを備えて肩にかけることができるバッグが多数存在する。具体的にこのようなバッグとしては、リュックサック、ショルダーバッグ、メッセンジャーバッグ、ボディーバッグ等様々な背負うことが可能な背負い肩掛けバッグが存在する。このような背負い肩掛けバッグは、肩にかけることが可能であるため、非常に持ち運びが便利であり、疲れにくいといった利点があり重宝される。なお、一般に、背負い肩掛けバッグは背負うことが前提となっており、荷物を収容する部分（収容部）が使用者の背中側（後側）にあるのが通常である。【０００３】  しかしながら、混雑電車に乗っている際、荷物をすぐに取り出したい場合がある。リュックサックの具体例で説明すると、背負ったリュックサックの収容部の中から荷物を取り出したいとき、リュックサックにおける収納部を前方（胸側）に移動させると荷物を取り出すことができる。ところが一般的なリュックサックは、前方にかけるために一度リュックサックを降ろす必要があり、不便である。【０００４】  そこで、リュックサックを降ろすことなく、速やかに収容部を後方から前方に移動させ（以下、「展開」という）、また、元の状態に戻すことができるリュックサックがあれば便利である。【０００５】  このようなリュックサックに関しては、例えば下記特許文献１に、収容部が背板に設けられた軸を中心に３６０度回転する機構を備える技術が開示されている。本技術は、リュックサックから片腕を抜き、もう一方の腕を中心に、リュックを一度下方向に回すようにして前方に逆さに抱えたときに、回転機構により、逆さになったリュックを反転させ立たせるものである。【０００６】  また、下記特許文献２では、リュックのベルト部を左右で一体のものとして、ベルト部の左右の長さ調整を容易にすることにより、前方移動を可能とした技術が開示されている。【０００７】  また、下記非特許文献１では、ケーブルで吊り下げる形式を採用したリュックサックが開示されている。【０００８】  また、下記非特許文献２では、金属アームでバッグの下側の一部を展開するリュックサックが開示されている。
【先行技術文献】
【特許文献】
【０００９】
【特許文献１】特開２０１８−１５７９３３号公報
【特許文献２】特開１１−１６４７３４号公報
【非特許文献】
【００１０】
【非特許文献１】ｈｔｔｐｓ：／／ｊｐ．ｗｏｌｆｆｅｐａｃｋ．ｃｏｍ／
【非特許文献２】ｈｔｔｐｓ：／／ｗｗｗ．ｐａｘｉｓｐａｘ．ｃｏｍ／
【発明の概要】
【発明が解決しようとする課題】
【００１１】  しかしながら、上記特許文献１に記載の技術では、前方に移動させる過程で荷物の中身が反転してしまい、中身が不安定になる。器用に複雑な回転機構を徐々に動かしながら展開しては、気軽に前方に抱えられるという利点が無くなる。【００１２】  また、上記特許文献２では、構造上ベルトに非常に柔らかい素材や紐を用いなければならず、背負った際に柔らかい素材や紐が肩に食い込みやすいなどリュックサックの本来の利点である軽い感覚で背負うことが難しい。【００１３】  そして、上記非特許文献１に記載の技術も、一度大胆に下に展開しスペースをとること、そして前方に移動させた後は腕力でもって保持し続ける必要があり、電車に乗りながら前方の状況をキープする場合や頻繁に出し入れするために前方で固定する必要がある際に問題が生じる。【００１４】  また、上記非特許文献２に記載の技術も、金属フレームを利用した大掛かりな機構であること、途中で大きく横にスペースをとること、バッグのうち一部しか展開できないことから、上記非特許文献１に記載の技術と同様の問題がある。【００１５】  すなわち、上記文献において開示される公知のリュックサックには、以下いずれかの問題がある。
（１）ワンタッチでの展開が困難である
（２）展開時に収容部が逆さになる
（３）展開に大きなスペースを要する
（４）展開状態を保つため展開時に常に手で保持しなくてはならない【００１６】  そこで、本発明は上記課題に鑑み、（１）ワンタッチでの展開が容易で、（２）展開時に収容部がさかさまにならず、（３）省スペースで、重さの分散が効率的に行われ、（４）展開状態を保つために展開時に常に手で保持する必要がない、容易に収容部を前後に展開することができるバッグを提供することを目的とする。
【課題を解決するための手段】
【００１７】  本発明者は、上記課題について鋭意検討を行ったところ、背負いベルト部に対して固定されるガイド部材を設けて収容部をスライドさせる構成を採用することで上記課題を軽決できるバッグを提供することを発見し、本発明を完成させるに至った。【００１８】  すなわち、本発明の一観点に係るバッグは、  使用者の背部と胸部との間を自在に移動させることができるバックであって、背負いベルト部と、背負いベルト部の後方において一端が固定され、背負いベルト部と交差する方向に延び、背負いベルト部の前方に延び回され他端が背負いベルト部の前方において固定されるガイド部と、収容部と、収容部に固定されかつガイド部上を摺動する摺動部、を有するものである。【００１９】  また、本観点のバッグは、更に、背当て部を備えており、背負いベルト部は背当て部に固定されており、ガイド部の一端は、背当て部の後方に固定されていることで背負いベルト部の後方において固定されていることが好ましい。【００２０】  また、本観点のバッグは、更に、背負いベルト部は左右に複数設けられており、ガイド部の一端は、背当て部の後方の左右いずれかの端部近傍に固定されており、ガイド部は背当て部の後方において延び回され、ガイド部の他端は、ガイド部の一端が固定された側とは反対の側の背負いベルト部に固定されていることが好ましい。【００２１】  また、本観点のバッグは、更に、背負いベルト部の後方において前記収容部を固定するための後方固定部を備えることが好ましい。【００２２】  また、本観点のバッグは、更に、背負いベルト部の前方において前記収容部を固定するための前方固定部を備えることが好ましい。【００２３】  また、本観点のバッグは、更に、収容部の上方から延在し、前記背負いベルト部の前方に着脱可能に連結される帯状部材を備えることが好ましい。【００２４】  また、本発明の他の一観点に係る支持具は、収容袋を使用者の背部と胸部との間を自在に移動させるための収容袋のための支持具であって、背負いベルト部と、背負いベルト部の後方において一端が固定され、背負いベルト部と交差する方向に延び、背負いベルト部の前方に延び回され、他端が背負いベルト部の前方において固定されるガイド部と、ガイド部上を摺動する摺動部と、摺動部に収容袋を着脱可能に取り付ける取り付け具と、を有するものである。
【発明の効果】
【００２５】  以上、本発明に係るバッグは、（１）ワンタッチでの展開が容易で、（２）展開時に収容部がさかさまにならず、（３）省スペースで、重さの分散が効率的に行われ、（４）展開状態を保つために展開時に常に手で保持する必要がない、容易に収容部を前後に展開することができるバッグとなる。
【図面の簡単な説明】
【００２６】
【図１】実施形態に係るバッグの概略図である。
【図２】実施形態に係るガイド部の方向に関する説明図である。
【図３】実施形態に係るガイド部の一例を示す図である。
【図４】実施形態に係るバッグの概略図（収容部４を省略したもの）である。
【図５】実施形態に係る後方固定部の一例の概略図である。
【図６】実施形態に係るバッグの展開に関するイメージ図である。
【図７】実施形態に係るバッグの展開に関するイメージ図である。
【図８】実施形態に係るバッグの展開に関するイメージ図である。
【図９】実施形態に係るバッグの他の一例について説明する図である。
【図１０】実施形態に係るバッグの他の一例について説明する図である。
【発明を実施するための最良の形態】
【００２７】  以下、本発明の実施形態について図面を用いて詳細に説明する。ただし、本発明は多くの異なる形態による実施が可能であり、以下に示す実施形態、実施例に記載された例示にのみ限定されるわけではない。【００２８】  図１は、本実施形態に係るバッグ（以下「本バッグ」という。）１の概略を示す図である。本図で示すように、本バッグ１は、背負いベルト部２と、背負いベルト部２の後方において一端が固定され、背負いベルト部２と交差する方向に延び、背負いベルト部２の前方に延び回され他端が背負いベルト部２の前方において固定されるガイド部３と、収容部４と、ガイド部３に収容部を保持及び摺動させる摺動部５と、を有するものである。なお本実施形態において「バッグ」は、上記の記載及び後述の記載から明らかであるが、荷物を運搬するために収容部、具体的には袋と背負いベルト等の取っ手が付されたものであって、具体的にはリュックサック、ショルダーバッグ、メッセンジャーバッグ、ボディーバッグ等様々な背負うことが可能な背負い肩掛けバッグが該当するが、乳児や幼児を背負ったり抱っこしたりするために使用されるベビーキャリア（おんぶ紐、抱っこ紐ともいう）も、含む概念である。【００２９】  本バッグ１は、固定されたガイド部３を設けることでこのガイド部３において収容部４を摺動（スライド）させることが可能となり、上記発明の効果を達成することができるようになる。詳細については追って説明する。【００３０】  まず、本バッグ１において、背負いベルト部２は、バッグを背負うために使用者が腕を通し肩に掛けるための輪状に形成された帯状の部材である。幅を持った帯状の部材を採用することで、使用者が肩にかけたとしても方に食い込むことが無い。【００３１】  背負いベルト部２の材質はしっかりと帯状を保持することができる程度の硬さを備えたものであることが好ましい一方、ある程度柔軟な部材で構成されていることが好ましく、例えば綿や麻等の天然繊維を用いて構成されていてもよく、また、ポリエステル系合成繊維、ポリアミド系合成繊維やナイロン等の化学繊維を用いて構成されていてもよい。なお、上記繊維を用いる場合、ある程度の硬さを確保して形状を安定化させるために紙や繊維を集合させて帯状にした芯材を中に配置してもよい。また、背負いベルト部２は、天然皮や合成皮革で構成されていてもよい。【００３２】  本バッグ１では、背負いベルト部は左右に複数設けられていること、具体的には２本設けられていることが好ましい。左右に２本設けることで、左右両方に掛けることが可能となるため、より収容部の一つを安定させ使用者の負担が軽減させることができる。【００３３】  本図の例では右側（本明細書では、使用者が本バッグ１を背負った状態で使用する場合を左右の基準とする）の背負いベルト部２１及び左側の背負いベルト部２２の２本の例を示している。【００３４】  なお、本実施形態では説明のしやすさのため２本の背負いベルト部を設けた例を示しているが１本であるものとしてもよい。これについては、本図で示すような２本の例を以下詳述した後で改めて説明する。【００３５】  また、本バッグ１において、ガイド部３は、背負いベルト部２に対して固定され、背負いベルト部２と交差する方向に延びるものである。より詳細には、背負いベルト部２の後方において一端３１が固定され、背負いベルト部２と交差する方向に延び、背負いベルト部２の前方に延び回され他端３２が背負いベルト部の前方において固定される。また、後述の記載からも明らかであるが、ガイド部３は、収容部４を摺動させるガイドとなるものである【００３６】  また、ガイド部３の延びる方向に関し、「背負いベルトと交差する方向」とは、背負いベルト部２が延びる方向に対して垂直な方向が典型的なものであるが製造上の誤差やガイド部の部材の自重や強度などによる傾きは不可避的に発生する。そのため垂直だけではなく、平行ではない角度であれば充分である。ただ、好ましくは、背負いベルトの延伸方向に垂直な方向からプラスマイナス４５度以下、好ましくは３０度以下の範囲にあることが好ましい。この場合の方向のイメージについて図２に示しておく。【００３７】  また、ガイド部３は、二つの端部を備えた線状又は帯状のものとなっている。具体的には背負いベルト部２の後方において一端３１が固定され、上記の通り背負いベルト部２と交差する方向に延び、背負いベルト部２の前方に延び回され他端３２が背負いベルト部の前方において固定される。ここで「背負いベルト部の後方」とは、使用者が背負いベルト部に肩を入れた場合の背中側をいい、「背負いベルト部の前方」とは、使用者が背負いベルト部に肩を入れた場合の胸側をいう。これにより、使用者の背中を通って使用者の胸側（前方）にガイド部３が延び回される。すなわち「延び回される」とは、延びながら使用者の背中（後方）から胸側（前方）に回り込むことをいう。このガイド部３の両端の具体的な位置関係などについては改めて後述する。【００３８】  ガイド部３の構成は、背負いベルト部２と交差する方向で収容部４を摺動させることができる限りにおいて限定されず、線状の部材であっても、帯状の部材であってもよいが帯状の部材であることで、収容部４による重さをより広い接触面積で支持することができるようになるため好ましい。【００３９】  ガイド部３が線状の部材で構成される場合、紐であることも可能であるが、ガイド用の部材としてある程度の硬さを維持するために、樹脂や金属で形成されたレールとすることとしてもよい。レールを用いることで形状を安定化し、レールに摺動可能に保持されるランナーを摺動部材５として採用し、これを収容部４に接続させることで、カーテンレールにより移動するカーテンのように収容部４を移動させることが可能となる。この場合のイメージ図を図３に示しておく。【００４０】  また、ガイド部３の帯状の部材で構成される場合は、上記背負いベルト部２と同様の帯状の部材を採用することができる。この場合において帯状の部材は、布であることが好ましく、綿や麻等の天然繊維を用いて構成されていてもよく、ポリエステル系合成繊維、ポリアミド系合成繊維やナイロン等の化学繊維を用いて構成されていてもよい。なお、上記繊維を用いる場合、ある程度の硬さを確保して形状を安定化させるために紙や繊維を集合させて帯状にした芯材を中に配置してもよい。また、天然皮や合成皮革で構成されていてもよい。図４に、ガイド部３が帯状の部材であ��場合における本バッグ１（収容部４等の表示を省略したもの。）の概略図を示す。【００４１】  また、本バッグ１において、上記の通りガイド部３は、背負いベルト部２の後方において固定されている。ガイド部３は、背負いベルト部２に対して直接接続、固定されていてもよいが、例えば背当て部６を設け、背当て部６に背当てベルト２を固定するとともにこの背当て部６にもこのガイド部３を固定することとしてもよい。これによってもガイド部３が背負いベルト部２の後方において固定されているということができる。背当て部６を設けることで、背中に直接ガイド部３等が当たるのを防ぎ、背負う際の快適性を確保することができる。なおこの場合において、背負いベルト部２は、背当て部６の前側に固定されていてもよく、後ろ側に固定されていてもよい。また、背負いベルト部２を背当て部６の上端及び下端に接続させて背当て部６を背負いベルト部２の一部として機能させることも好ましい。なお、背当て部６の前方とは、使用者が本バッグ１を背負った際に背中に接する側をいい、背当て部６の後方とは、これと反対側をいう。【００４２】  本バッグ１によると、上記のように、背当て部６を設けることで、背負いベルト部２、ガイド部３の位置関係を安定的に固定できる。また背当て部６を設けることにより、使用者は背中を背当て部に当てることが可能となり快適にバッグを背負うことができる。この場合において背当て部６は、上記背負いベルト部と同様、例えば綿や麻等の天然繊維で構成されていてもよく、また、ポリエステル系合成繊維、ポリアミド系合成繊維やナイロン等の化学繊維で構成されていてもよい。なお、上記繊維を用いる場合、ある程度の硬さを確保して形状を安定化させるために紙や繊維を集合させて平板状にした芯材を中に配置してもよい。また、背負いベルト部２は、天然皮や合成皮革で構成されていてもよい。なお、上記の通り、背当て部６は設けたほうが非常に好ましい例ではあるが、しっかりと背負いベルト部２とガイド部３、収容部４等が固定可能であれば省略することも可能ではある。【００４３】  また、本バッグ１において、上記の通りガイド部３の一端３１は、使用者の背中側（より具体的には背負いベルト部２の後方又は背当て部６の後方）に固定され、他端３２は使用者の胸側（より具体的には背負いベルト部２の前方）に固定されていることが好ましい。このようにすることで、背中側から胸側に収容部４を摺動させる道筋を形成することが可能となる。より具体的に説明すると、本バッグ１では、ガイド部３は背中側において背負いベルト部２と交差する方向に延び、胸側に回って固定されるため、この道筋に従い収容部４が背中側から胸側に移動可能となる。【００４４】  また、本バッグ１において、ガイド部３の後端の一端３１を使用者の背中側に固定する場合、背中の中心（より具体的には背当て部６の中心又は左右一対の背負いベルト部２の中間位置）に固定してもよいが、左右のいずれかの側（背当て部６の後方の左右いずれかの端部近傍）に偏らせて固定しておくことが好ましく、一方の背負いベルト部２に直接又は背当て部６の一方の端に固定しておくことがより好ましい。下記の記載から明らかとなるが、左右に偏らせることで、収容部４を胸側に持ってくる場合において、胸側のガイド部３の長さが必要以上に長くなり邪魔になるのを防止できる。なおここで、「左」は、本バッグ１を使用者が背負った場合において左側にあることをいい、「右」は、本バッグ１を使用者が背負った場合において右側にあることをいう。【００４５】  また、本バッグ１において、ガイド部３は、使用者の背中、より具体的には背当て部６の後方において延び回され、ガイド部３の前端である他端３２は、背負いベルト部２の前方において固定されることが好ましい。より具体的に、ガイド部３の他端３２は、背負いベルト部の一方に固定しておくことが好ましい。このようにすることで、ガイド部３を安定的に固定することができる。なお、この場合において他端３２は、使用者が本バッグ１を背負う前は背負いベルト２に対し取り外し可能である一方、背負った後で背負いベルト２に固定できるよう着脱可能な構成としてもよい。このようにすることで、本バッグ１を背負う際にガイド部３が邪魔してしまわないようにできる。ただし、収容部４を移動する際このガイド部３が外れてしまわないようしっかりとした固定方法であることが好ましい。この着脱の方法としては特に限定されるわけではないが、例えばバックル、ボタン、カラビナ、フック、スイベル、面ファスナー等を採用することができる。ただし、上記の通り収容部４の荷重に十分耐えられる固定方法である必要がある。【００４６】  また、この場合において、ガイド部３の他端３２は、一端３１と左右逆の側に接続、固定されていることが好ましく、より具体的には、例えば本図のように、左側の背当て部６の端近傍に一端３１が固定されている場合、右前の背負いベルト部に他端３２が固定されていることが好ましい。このようにすることで、ガイド部３が不必要に使用者の胸側に長く巻き回されてしまい邪魔になることを防ぐことが可能となる。もちろんこの場合において、左側の背負いベルト部にガイド部３を固定することを否定するものではない。すなわち、ガイド部材の後端と前端は左右が異なるように付されていることが好ましい。【００４７】  また、本バッグ１において、収容部４は、文字通り荷物等を収容することができるものであるが、荷物だけではなく乳児、幼児、動物を収容することとしてもよく、袋状に形成されたものである。収容部４の形状や材質は特に限定されないが、線ファスナー等により空間を閉じることができるものであることが好ましい。また、乳児や幼児を収容するために袋の底部の左右に足を袋外に出すための一対の開放穴が形成されていてもよい。【００４８】  収容部４の材質としては、上記他の構成要件と同様、綿や麻等の天然繊維を用いた布で構成されていてもよく、ポリエステル系合成繊維、ポリアミド系合成繊維やナイロン等の化学繊維を用いて構成されていてもよい。なお、上記繊維を用いる場合、ある程度の硬さを確保して形状を安定化させるために紙や繊維を集合させた芯材を中に配置してもよい。また、天然皮や合成皮革で構成されていてもよい。【００４９】  また、本バッグ１では、背負いベルト部２の後方において収容部４を固定するための後方固定部７を備えている。これにより、収容部４が落ちることなく使用者に対して固定さ��る。特に、使用者が歩いたとしても収容部４がずれてしまうことがない。具体的に、後方固定部７は、一対の後方固定具７１、７２を備えており、一方の後方固定具７１は収容部４に、他方の後方固定具７２は背負いベルト部２の後方又は背当て部６の後方に固定され、一対の後方固定具７１、７２が組み合わされることで収容部４を確実に保持することができる。一方、この固定を外したい場合、後方固定具７１、７２を外せばよい。この場合の後方固定部の具体的なイメージについて図５に示しておく。【００５０】  この後方固定部７を構成する後方固定具７１、７２の例としてはリング、バックル、ボタン、フック、カラビナ、スイベル、面ファスナー等を例示することができるがこれに限定されず、周知の構成を採用することができる。【００５１】  また、後方固定部７は、上記の他、例えば、収容部４を背負いベルト部２の後方において固定する場合において、収容部４に帯状の面ファスナーを用い、この面ファスナーを使用者の後方から前方に肩の上を延び回して背負いベルト２にくっつける構造としてもよい。【００５２】  また、本バッグ１において、摺動部５は、上記のとおり、ガイド部３に対して収容部４を支持及び摺動させるために用いられるものであり、より具体的に摺動部５は、収容部４に固定されている一方、ガイド部３にも接続されており、ガイド部３に対して収容部４を支持し、摺動させることができる。特に本バッグ１では、上記後方固定部と相まってより確実に収容部４を安定的に保持することができる。【００５３】  より具体的に説明すると、本バッグ１では、後方固定部７による固定を解除すれば、摺動部５に沿って収容部４を移動させることが可能である。すなわち使用者は、収容部４を持ちながら、背中側から胸側に摺動部５をガイド部に対して摺動させつつ移動させることができる。しかもこの際、摺動部５によって収容部４は固定されているため、仮に収容部４から手を離したとしても収容部４が落ちることがない。【００５４】  摺動部５の位置は、収容部４の中心近傍、背当て部６の中心近傍又は背負いベルト２の中心若しくは中間位置に配置しておくこととしてもよいが、位置を偏らせて配置すること、より具体的には収容部４の左右端近傍、背当て部６の左右端近傍又は背負いベルト２の左右一方側に配置しておくこと、更には、ガイド部３が固定される背当て部６又は背負いベルト２の接続端近傍に配置しておくことが好ましい。上このようにすることで、収容部４を前方に移動させた場合でもこの位置が偏った位置となるため、前方に延び回されたガイド部３が短い場合でも十分な展開距離を確保すること（収容部４を十分に使用者の胸側正面まで移動させること）ができ、１８０度の展開も可能である。【００５５】  摺動部５の構造としても、上記の機能を有する限りにおいて限定されず、ガイド部３の構成によって適宜調整可能である。例えば、ガイド部３が、樹脂や金属などによって構成されたレールである場合、摺動部５としてはこのレールに摺動可能に設けられるランナーを採用することができ、ガイド部３が帯状の部材である場合、この帯状の周囲に巻かれたリングであることが好ましく、より好ましくは帯状のリングである。帯状とすることで使��者の背中に当たったとしても凹凸が少なく、特に背当て部があれば違和感を抑えることができる。なおこのリングの材質としては特に限定されず、上記他の構成のように、ポリエステル系合成繊維、ポリアミド系合成繊維やナイロン等の化学繊維で構成されていてもよい。なお、上記繊維を用いる場合、ある程度の硬さを確保して形状を安定化させるために紙や繊維を集合させた芯材を中に配置してもよい。また、天然皮や合成皮革で構成されていてもよい。【００５６】  また、本バッグ１では、使用者が収容部４を前方に移動させた後、収容部４を安定した位置で固定させるために、前方固定部８を備えていることが好ましい。前方固定部８を設けておくことで、使用者が歩くなどの動作を行ったとしても、収容部４がずれてしまう虞が少なくなる。【００５７】  具体的に、前方固定部８は、前方固定具を備えており、一方は上記した後方固定具７１と共用できる。この前方固定具と一方の後方固定具７１とを用いることで、上記後方固定部と同様の機能を実現することができる。なお、この前方固定具は、背負いベルト部２に固定されていることが好ましい。【００５８】  この前方固定部７を構成する前方固定具の例としても、上記後方固定部７と同様に、リング、バックル、ボタン、フック、カラビナ、スイベル、面ファスナー等を例示することができるがこれに限定されず、周知の構成を採用することができる。【００５９】  また、本バッグでは、収容部４は、着脱可能であることとしてもよい。具体的には、摺動部５と収容部４とを着脱可能に取り付けることが可能な取り付け具を備えていてもよい。取り付け具により収容部４は摺動部５と固定される一方必要に応じて外すことが可能となる。この場合の取り付け具としても、上記した各固定具と同様、リング、バックル、ボタン、フック、カラビナ、スイベル、面ファスナー等を例示することができる。この場合、上記取り付け具と、摺動部５、ガイド部３、背負いベルト部２は、収容部４を着脱可能に支持する支持具として機能する。この支持具は、荷物を収容する任意の袋物（収容袋）を支持するために使用することができる。すなわち、本バッグ用の収容部４に限らず、使用者がすでに所有している任意の収容袋を用いてもよい。これにより支持具は、単体として、リュックサック、ショルダーバッグ、ベビーキャリーなど種々の袋物に使用することができ、収容袋を背側と胸側との間を自在に移動できる機能性及び汎用性に優れた道具となる。【００６０】（動作）
ここで、本バッグ１において、収容部４を背中側（後方）から胸側（前方）に移動させる動作について、実際に人が背負った状態での使用方法で説明する。【００６１】  まず、図６に、初期状態として背中に収容部４を配置した状態で本バッグ１を背負った状態を示す。この状態では、収容部４は使用者の背中に配置された状態となっており、収容部４は、後方固定部７及び摺動部５によって安定的に保持されている。なお図中（ａ）は使用者を側面から見た場合の図であり、（ｂ）は収容部４及び使用者の表示を省略して斜め後方から見た場合のイメージ図である。【００６２】  次に、使用者は、後方固定部７による固定を解除する。具体的には、後方固定具７１、７２による組み合いを解除し、摺動部５のみの接続とする。これにより収容部は摺動部によってのみ保持されることになる。なおこの場合、手を離すことも可能であるが、使用者は収容部４を保持しておくことが好ましい。【００６３】  そして、使用者は、収容部４をつかみ、摺動部５をガイド部３に沿って移動させる。これにより収容部がガイドに沿って動く。なおこの場合、使用者は、一方の腕を上げる程度で収容部を背中から胸側に移動させることができる（図７参照）。なお、この際使用者が手を離したとしても収容部４は内容物がさかさまになることも、落ちることもない。なお図中（ａ）は使用者を側面から見た場合の図であり、（ｂ）は収容部４及び使用者の表示を省略して斜め後方から見た場合のイメージ図である。【００６４】  そして、使用者は、収容部４を前方に持ってくることができる（図８参照）。この動作は非常に簡便である。また、この位置を安定させたい場合、使用者は前方固定部８、具体的には後方固定具７１と前方固定具８１を組み合わせて位置を固定する。以上により、後方から前方に収容部を安定的にワンタッチで移動させることができる。なお、使用者が収容部４を前方（胸側）から後方（背中側）に移動させたい場合、この逆の動作を行うことで容易に実現可能である。なお図中（ａ）は使用者を側面から見た場合の図であり、（ｂ）は収容部４及び使用者の表示を省略して斜め前方から見た場合のイメージ図である。【００６５】  ところで、上記の記載は、背負いベルト２が二本ある場合の例を主として説明しているが上述した通り、背負いベルト２は一本であってもよい。この場合の例を図９に示す。本図中（ａ）〜（ｃ）は収容部４が使用者の後方（背中側）にある場合を示しており、（ａ）は使用者を前方から見た状態、（ｂ）は使用者を後方から見た状態、（ｃ）は使用者を後側から見た場合であって、収容部４の表示を省略（点線で表記）した状態をそれぞれ示している。また、（ｄ）〜（ｆ）は収容部４を使用者の前側（胸側）に移動させた場合を示しており、（ｄ）は使用者を前方から見た状態、（ｅ）は使用者を後方から見た状態、（ｆ）は使用者を前方から見た場合であって、収容部の表示を省略（点線で表記）した状態をそれぞれ示している。【００６６】  本図で示すように、一本の場合も上記と同様、簡便に後方から前方に移動させることができる。なおこの場合、ガイド部３と使用者の脇の下の距離は比較的短く、収容部の上部が引っかかる場合もあるが、使用者は腕を上げることで脇の下の空間を確保しつつ収容部４を前方に移動させることで十分対応できる。【００６７】  背負いベルト２が二本ある場合の変形例を図１０に示す。先の例では、図５に示すように後方固定部７において後方固定具７１、７２を用いて収容部４を背負いベルト部また背当て部６で支持していたが、これに代えて図１０に示すように収容部４の上方から一端が延在し、他端が背負いベルト部２１の前方に着脱可能に連結または付着される帯状部材４１を用いることができる。帯状部材４１は、背負いベルト部２１に着脱可能に連結または付着するための部材４１ａを有し、例えば、面ファスナーやバックルを用いることができる。面ファスナーを用いる場合は、面ファスナーのフック側またはループ側の一方を背負いベルト部の前方表面に、そして他方を帯状部材４１の裏側に取り付ければよい。こうすることで、収容部４の荷重が帯状部材４１を介して使用者の肩にかかり、収容部４をしっかりと支持することができる。収容部４を背側から胸側に移動する際に、帯状部材４１を背負いベルト部２１から引き上げて面ファスナーを剥離し、そのまま帯状部材４１を使用者の脇下を通して胸側に引き回すことで収容部４を前方に移動することができる。もう一方の背負いベルト部２２の前方に帯状部材４１と付着する面ファイスナーのフックまたはループを設けておけば、帯状部材４１を背負いベルト部２２の前方に固定することができ、前述の前方固定部として作用する。帯状部材４１は、一方の背負いベルト部２１を覆うように取り付けたが、他方の背負いベルト部２２を覆うように取り付けてもよい。これにより一層確実に収容部４を帯状部材４１を介して肩で担ぐことができる。【００６８】  以上、本バッグは（１）ワンタッチでの展開が容易で、（２）展開時に収容部がさかさまにならず、（３）省スペースで、重さの分散が効率的に行われ、（４）展開時において展開状態を保つために手で保持する必要がないものとなる。特に、本バッグでは、簡便な部材によって作製することが可能となるため、（５）製作コストが安いといった利点もある。【００６９】  さらに具体的に言及すると、本バッグ１では、固定部を有しており、安定的に収容部を保持することができるとともに、着脱不要のワンタッチ前方移動可能となる。【００７０】  また、本バッグ１は、ベルトを外すことなく前方に展開可能であり、リュックサック本来の形状で再現可能であって、移動させる際にスペースをとらない。さらに、一度の動作でロック・解除可能であり、移動させる際に上下反転しない。また、前方固定具を用いることで、前方の体制でロック可能であるとともに、容易に背面に戻し、後方でもロック可能である。また、展開機構の重量保持に金属部品を用いるような機械構成を必要としていない為、安全かつ製作が容易である。
【産業上の利用可能性】
【００７１】  本発明は、バッグとして産業場利用可能性があり、特にリュックサック、ショルダーバッグ、メッセンジャーバッグ、ボディーバッグ等様々な背負うことが可能な背負い肩掛けバッグ等として産業上の利用可能性がある。
【要約】      （修正有）【課題】容易に収容部を前後に展開することができるバッグを提供する。【解決手段】使用者の背部と胸部との間を自在に移動させることができるバック１であって、背負いベルト部２と、前記背負いベルト部の後方において一端が固定され、前記背負いベルト部と交差する方向に延び、前記背負いベルト部の前方に延び回され他端が前記背負いベルト部の前方において固定されるガイド部３と、収容部４と、前記収容部に固定され且つ前記ガイド部上を摺動する摺動部５とを有する。【選択図】図１【図１】
0006875618.tif 000002
【図２】
0006875618.tif 000003
【図３】
0006875618.tif 000004
【図４】
0006875618.tif 000005
【図５】
0006875618.tif 000006
【図６】
0006875618.tif 000007
【図７】
0006875618.tif 000008
【図８】
0006875618.tif 000009
【図９】
0006875618.tif 000010
【図１０】
0006875618.tif 000011